(57)【要約】【課題】画素毎に輝度を補正する場合には、誤補正により画質を悪化させてしまう問題と、全ての画素毎に入力データを保存するために必要となるメモリーの容量が大きくなってしまう問題がある。【解決手段】複数配置された画素毎に備えられた有機ＥＬ素子１と、入力信号に応じた電流を有機ＥＬ素子１に供給する駆動部２と、駆動部２を制御する制御部３と、補正部５と、を有する表示装置であって、積算点灯時間が予め決められた時間に達する毎に、もしくは予め決められた時間経過後に、１フレーム期間内における有機ＥＬ素子１への供給電流を一定に保ちつつ全画素のデューティ比を減少させる補正を行う。【選択図】図１
2011137912.tif 000002
【特許請求の範囲】
【請求項１】
複数配置された画素毎に備えられた有機ＥＬ素子と、
入力信号に応じた電流を前記有機ＥＬ素子に供給する駆動部と、
前記駆動部を制御する制御部と、
補正部と、
を有する表示装置であって、
前記補正部は、表示装置の点灯時間を積算した時間が予め決められた時間に達する毎に、もしくは予め決められた時間経過後に、全画素のデューティ比についての減少補正をして補正後のデューティ比の情報を前記制御部に供給し、
前記制御部により、１フレーム期間内における前記有機ＥＬ素子への供給電流量が前記補正前後で一定に保たれることを特徴とする表示装置。
【請求項２】
複数配置された画素毎に備えられた有機ＥＬ素子と、
入力信号に応じた電流を前記有機ＥＬ素子に供給する駆動部と、
前記駆動部を制御する制御部と、
補正部と、
を有する表示装置であって、
前記補正部は、表示装置の点灯時間を積算した時間が予め決められた時間に達する毎に、もしくは予め決められた時間経過後に、全画素のデューティ比についての減少補正及び入力信号の補正をして補正後のデューティ比の情報及び入力信号を前記制御部に供給し、
前記制御部により、前記補正後の１フレーム期間内における前記有機ＥＬ素子への供給電流量を前記補正前よりも小さくすることを特徴とする表示装置。
【請求項３】
前記補正後において、前記有機ＥＬ素子に供給されるピーク電流は、前記補正前よりも大きいことを特徴とする請求項１又は２に記載の表示装置。
【請求項４】
前記補正後の入力信号は、前記補正前の入力信号に１より小さい係数を乗じた信号であることを特徴とする請求項２に記載の表示装置。
【発明の詳細な説明】
【技術分野】
【０００１】
本発明は、有機ＥＬ素子を含む表示装置に関する。
【背景技術】
【０００２】
近年、有機ＥＬ素子等のフラットパネル対応の自発光型デバイスが注目されており、有機ＥＬ素子においては、発光することで輝度が低下することが知られている。
【０００３】
複数の画素をマトリクス状に配置したディスプレイでは、例えば黒い背景に白い固定パターンが表示される場合、黒い部分は点灯していないので劣化しないが、白い部分は輝度が低下する。このとき、輝度が低下した部分は、焼きつきとして認識され、画質を著しく悪化させてしまう。特に、デジタルカメラのモニターとして使用される場合には、撮影条件を示すアイコンやテキストなどの固定パターンが表示されるため焼きつきが生じやすい。このような有機ＥＬ素子の輝度の変化を補償する技術としては、特許文献１に開示されている技術がある。
【先行技術文献】
【特許文献】
【０００４】
【特許文献１】特許第３９３３４８５号
【発明の概要】
【発明が解決しようとする課題】
【０００５】
特許文献１では、有機ＥＬ素子の画素毎の入力データを一定周期で積算し、全ての画素の積算値の最大値から各画素の積算時間を減算した値に応じて対応する画素データを補正し、これをもって各有機ＥＬ素子の輝度の低下を画素単位で補正している。
【０００６】
しかしながら、有機ＥＬ素子の劣化特性は周囲の環境、輝度条件、発熱条件など様々な条件が複雑に影響するため、画像データの積算だけによって正確に焼きつきを検出することは困難である。画素毎に検出した劣化量に誤りがあると、補正によって画質を悪化させてしまう課題がある。具体的には、輝度低下が無くとも輝度が低下したと判断した場合には、より輝度を高くするように補正するため、補正された画素は輝度が高くなり、補正した画素が輝度上昇したムラとして認識されてしまうなど補正により画質を悪化させてしまう課題がある。また、画素毎に入力データを保存する場合には、全ての画素に対して画像データを積算していくことになる。よって、画素数が多ければ多いほど、データを保存するために必要となるメモリーの容量が大きくなってしまう課題がある。
【０００７】
そこで、本発明は、焼きつきを抑制し、かつ必要となるメモリーの容量を大幅に削減した表示装置を提供することを目的とする。
【課題を解決するための手段】
【０００８】
上記課題を解決するために、本発明は、複数配置された画素毎に備えられた有機ＥＬ素子と、入力信号に応じた電流を前記有機ＥＬ素子に供給する駆動部と、前記駆動部を制御する制御部と、補正部と、を有する表示装置であって、前記補正部は、表示装置の点灯時間を積算した時間が予め決められた時間に達する毎に、もしくは予め決められた時間経過後に、全画素のデューティ比についての減少補正をして補正後のデューティ比の情報を前記制御部に供給し、前記制御部により、１フレーム期間内における前記有機ＥＬ素子への供給電流量が前記補正前後で一定に保たれることを特徴とする表示装置を提供するものである。
【０００９】
また、本発明は、複数配置された画素毎に備えられた有機ＥＬ素子と、入力信号に応じた電流を前記有機ＥＬ素子に供給する駆動部と、前記駆動部を制御する制御部と、補正部と、を有する表示装置であって、前記補正部は、表示装置の点灯時間を積算した時間が予め決められた時間に達する毎に、もしくは予め決められた時間経過後に、全画素のデューティ比についての減少補正及び入力信号の補正をして補正後のデューティ比の情報及び入力信号を前記制御部に供給し、前記制御部により、前記補正後の１フレーム期間内における前記有機ＥＬ素子への供給電流量を前記補正前よりも小さくすることを特徴とする表示装置を提供するものである。
【発明の効果】
【００１０】
本発明によれば、焼きつきを抑制した表示装置を得ることができる。しかも、表示装置の点灯時間の積算時間を保持しておけば良いため、全ての画素に対して画像データを積算していく補正システムに比べ、必要となるメモリーの容量を大幅に削減することができる。また、各画素に対して焼きつき量を検出して補正することがないため、誤検出による画質劣化を生じることもない。
【図面の簡単な説明】
【００１１】
【図１】本発明の表示装置の概略図である。
【図２】駆動デューティ比とピーク電流の関係を説明する図である。
【図３】有機ＥＬ素子の劣化について説明する図である。
【図４】表示装置の焼きつきが減少することを説明する図である。
【図５】有機ＥＬ素子の電圧と電流の関係の一例を示す図である。
【図６】実施例における有機ＥＬ素子の劣化について説明する図である。
【発明を実施するための形態】
【００１２】
［第１の実施形態］
図１は本実施形態の表示装置の構成を説明するための概念図である。図１において、１は複数配置された画素毎に備えられた有機ＥＬ素子、２は入力信号に応じた電流を有機ＥＬ素子１に供給する駆動部、３は駆動部２を制御する制御部、５は補正部である。
【００１３】
本実施形態では、補正部５は、積算点灯時間が予め決められた時間に達する毎に、もしくは予め決められた時間経過後に、全画素のデューティ比についての減少補正をして補正後のデューティ比の情報を制御部３に供給する。そして、制御部３により、１フレーム期間内における有機ＥＬ素子１への供給電流量が補正前後で一定に保たれる。その詳細は以下のとおりである。なお、「積算点灯時間」とは、表示装置の点灯時間を積算した時間であり、「デューティ比」とは、１フレーム期間内に有機ＥＬ素子に電流を供給する時間の割合である。
【００１４】
図１のように、本発明の表示装置には外部から画素毎に対応する表示信号が入力される。駆動部２は入力信号に応じた駆動電流Ｉsigを有機ＥＬ素子１に供給する。
【００１５】
補正部５は積算点灯時間が予め決められた時間に達する毎に、もしくは予め決められた時間経過後に、制御部３にデューティ比を減少させる指示を出す。これが補正部５による補正であり、正確にはデューティ比についての減少補正をしてその補正後のデューティ比の情報を制御部３に供給する。例えば、１００時間経過毎にデューティ比を５％ずつ下げる補正を行っても良い。また、本表示装置内又は本表示装置が組み込まれる装置内に、有機ＥＬ素子の劣化特性に応じて経過時間とデューティ比のテーブルを設けておいて、前記テーブルに従ってデューティ比の補正を行っても良い。例えば、１０時間経過後にデューティ比を９５％に補正し、同様に、５０時間経過後に８５％、１００時間経過後に７０％、２００時間経過後に５５％、５００時間経過後に４０％、１０００時間経過後に３０％にする補正を行っても良い。
【００１６】
デューティ比を補正するタイミングは、積算点灯時間が予め決められた時間に達した直後、もしくは予め決められた時間経過直後でも良いが、積算点灯時間が予め決められた時間に達した直後の表示装置を消灯、又は点灯させるタイミングで補正するのが好ましい。又は予め決められた時間経過直後の、表示装置を消灯、又は点灯させるタイミングで補正するのが好ましい。なお、積算点灯時間は例えば積算回路等の算出手段を用いて算出する。
【００１７】
複数の異なる構造の有機ＥＬ素子を含む表示装置では、構造毎に補正するタイミングやデューティ比を減少させる割合（以下、「デューティ比補正係数」という。）を変えても良い。例えば、赤、緑、青のように色の異なる有機ＥＬ素子からなる表示装置では、補正するタイミングやデューティ比補正係数を色毎に変えても良い。
【００１８】
制御部３は補正部５から供給されるデューティ比の情報に基づいて、駆動部２が有機ＥＬ素子に供給する電流のデューティ比を制御する。また、制御部３はデューティ比を減少させても、制御部３に入力される信号に応じた駆動電流Ｉsigが有機ＥＬ素子１へ供給されるように駆動部２を制御する。つまり、制御部３により、１フレーム期間内における有機ＥＬ素子１への供給電流量が補正前後で一定に保たれる。ここで、デューティ比を減少させても、制御部３に入力される信号に応じた駆動電流Ｉsigが有機ＥＬ素子１へ供給されるように駆動部２を制御するとは、入力信号に応じた駆動電流Ｉsigを、デューティ比の補正前後で±１０％以内の変化に納めることを指す。
【００１９】
デューティ比を減少させても有機ＥＬ素子１に供給する電流を減少させない方法としては、ピーク電流を大きくする方法がある。図２（Ａ）はデューティ比６０％で駆動している状態からデューティ比を減少させ、デューティ比２０％で駆動させた状態における理想的な電流の状態を説明する図である。１フレーム期間内に有機ＥＬ素子１へ供給される電流量は、１フレーム期間内の電流の積分値であるため、図２の６と７の面積が同じであれば供給電流量は同じである。したがって、図２（Ａ）のようにデューティ比が６０％から２０％になった場合にはピーク電流８を３倍にすれば良い。
【００２０】
ただし、図２（Ａ）のような理想的な矩形波にならない場合には、出力される波形の形状に応じて、ピーク電流８の調整が必要となる場合がある。例えば、図２（Ｂ）のように波形の立ち上がりの形状が曲線になった場合には、図示される６と７の面積を同じ面積にするために、ピーク電流８を３倍以上にする必要がある。また、図２（Ｃ）のように波形の立ち下がりの形状が尾をひいた場合や、図２（Ｄ）のように波形の立ち上がり時にオーバーシュートする場合には、図示される６と７の面積を同じ面積にするために、ピーク電流８を３倍以下にする必要がある。
【００２１】
ここで、有機ＥＬ素子の劣化特性（電流と発光効率の関係）について、図３を用いて説明する。
【００２２】
発明者らが有機ＥＬ素子の劣化前後の電流と発光効率の関係について検討した結果、劣化に伴う発光効率の低下は低電流領域ほど大きくなり、高電流領域では発光効率の低下が小さくなることが分かった。
【００２３】
図３は有機ＥＬ素子の発光時の電流（横軸）と発光効率（縦軸）の関係の一例であり、劣化していない初期の状態、劣化して輝度が低下した後の状態（劣化：小）、さらに劣化が進み輝度低下量が大きくなった状態（劣化：大）をそれぞれ示している。また、図３から有機ＥＬ素子の劣化による発光効率の低下が発光時の駆動電流に依存していることが分かる。何故このように、有機ＥＬ素子の劣化による発光効率の低下が発光時の駆動電流に依存しているのかは解明されていないが、以下のような仮説が立てられる。
【００２４】
有機ＥＬ素子の発光効率の低下には発光材料そのものの劣化に加え、長時間の通電により発光層と隣接する界面に欠陥準位ができ、欠陥準位を経て発光層内のキャリアが漏れ出てしまい発光層内のキャリア密度が下がり発光効率が下がるというモデルが考えられる。このキャリア漏れは電界に応じて増加するが、有機ＥＬ素子の電圧と電流の関係を示す図５のように、閾値電圧以上では電圧増加に対する電流の増加が大きく、電流を増やしても必要となる電圧の増加は軽微である。そのため、キャリアの漏れ量は駆動する電流量に対して変化が小さい。高電流領域では、キャリア漏れ量の全体のキャリア密度に占める割合が減るためキャリア漏れの影響がより小さく、低電流領域に比べ発光効率の低下が小さくなると考えられる。
【００２５】
次に、デューティ比を小さくすることが表示装置の焼きつきの抑制につながることについて、図４を用いて説明する。
【００２６】
図４は表示装置の積算点灯時間Ｔ1経過後において、全く点灯しておらず劣化のない画素の有機ＥＬ素子の駆動電流（横軸）と発光効率（縦軸）の関係と、点灯により劣化した画素の有機ＥＬ素子の駆動電流（横軸）と発光効率（縦軸）の関係の一例である。劣化して輝度が低下した画素と劣化していない、もしくは劣化が小さい画素との輝度の差が焼きつきとして認識される。図４（ａ）では有機ＥＬ素子をデューティ比１００％で駆動し、劣化した画素と劣化していない画素の積算点灯時間Ｔ1経過後における供給電流Ｉ1の焼きつき量はＢ1である。ここで、デューティ比を３３％に減少させると、図４（ｂ）のように電流Ｉ1を供給するためのピーク電流量は理想的には３倍になる。このとき、劣化した画素と劣化していない画素の積算点灯時間Ｔ１経過後における供給電流Ｉ1の焼きつき量はＢ1’である。有機ＥＬ素子の劣化に伴う発光効率の低下は発光時の電流値が小さいほど大きく、電流値が大きいほど小さくなるため、
（焼きつき量Ｂ1’）＜（焼きつき量Ｂ1）となる。
【００２７】
上記では、積算点灯時間Ｔ1経過後にデューティ比を１００％から３３％に減少させることで有機ＥＬ素子の焼きつきが減少することについて説明した。このことからすると、初期からデューティ比を３３％にしておけば、積算点灯時間Ｔ1経過後における焼きつき量はＢ1’であり、焼きつきを補正する必要がないことになる。
【００２８】
しかしながら、図３や図４のように初期の駆動電流（横軸）と発光効率（縦軸）の関係は高電流領域になるほど発光効率が低いため、初期からデューティ比を小さくすると同じ輝度を得るために必要となる電流量が増え消費電力が高くなってしまう。それゆえ、低消費電力でかつ、焼きつきを抑えるためには、初期から表示装置の点灯時間が増える中で段階的にデューティ比を減少させていくことが好ましい。
【００２９】
また、デューティ比１００％で有機ＥＬ素子を電流Ｉ0で定電流駆動した場合の、時間Ｔ経過後の供給電流Ｉaでの輝度劣化率をＡとしたとき、発光時の電流と輝度劣化の関係は、式１で示される。
［式１］Ａ＝１−ｅｘｐ｛−ｋi×（Ｉ0／Ｉi）β×Ｔ｝
【００３０】
式１のｋiは電流Ｉiで定電流駆動した場合の経時劣化速度の度合を示す定数（劣化速度定数）、βは電流加速係数であり、これらは有機ＥＬ素子の構成に応じて変わる値である。
【００３１】
β＝１の場合、供給電流が一定であれば、例えばデューティ比が１／３になり発光時の電流（ピーク電流）Ｉ0が３倍になっても、発光する時間Ｔが１／３に減少するため輝度劣化量は変わらない。しかし、β＞１の場合、供給電流が一定であっても発光時の電流（ピーク電流）が大きくなるほど輝度劣化量は大きくなる。
【００３２】
以上より、デューティ比を初期から小さくすることは有機ＥＬ素子の劣化を促進することになる。劣化を抑制するためには、初期はより高いデューティ比で駆動し、段階的にデューティ比を減少させていくことが好ましい。
【００３３】
また、デューティ比を減少させた後の輝度低下量は、デューティ比を減少させる前に比べ大きくなってしまう。そこで、β＞１の場合を考慮すると、積算点灯時間がある時間に達し、デューティ比を減少させると同時に、１フレーム期間内における有機ＥＬ素子への供給電流量を小さくする、つまり暗くする補正を行うことがより好ましい。表示装置の輝度は減少するが、輝度劣化を抑える効果が得られる。
【００３４】
人間の目の明るさに対する感度、つまり明度は輝度の１／３乗に比例することが知られている。一方、焼きつきを感じる輝度差は、発明者らが検討した結果、約１．５％程度であることが分かった。つまり、焼きつきに対する目の感度が高く、パネル全体の輝度の変化を感じる輝度差に比べ、焼きつきに対しては非常に小さい輝度差を感じとることになる。したがって、表示装置の輝度を減少させても、輝度劣化を抑え、焼きつきを抑える効果が得られることを優先させる価値は十分にある。
【００３５】
以下では、デューティ比を減少させると同時に、１フレーム期間内における有機ＥＬ素子への供給電流量を小さくする実施形態を示す。
【００３６】
［第２の実施形態］
本実施形態の表示装置の構成は第１の実施形態と同じである。
【００３７】
本実施形態では、補正部５は、積算点灯時間が予め決められた時間に達する毎に、もしくは予め決められた時間経過後に、全画素のデューティ比についての減少補正及び入力信号の補正をして補正後のデューティ比の情報及び入力信号を制御部３に供給する。そして、制御部３により、補正後の１フレーム期間内における有機ＥＬ素子１への供給電流量を補正前よりも小さくする。このとき、補正後のデューティ比の情報及び入力信号に応じて、有機ＥＬ素子１に供給される電流は、補正前よりも平均電流が小さく、かつ、ピーク電流が大きくなるように、制御部３により制御される。その詳細は以下のとおりである。
【００３８】
図１のように、本実施形態の表示装置には外部から画素毎の表示信号が入力される。駆動部２は入力信号に応じた駆動電流Ｉsigを有機ＥＬ素子１に供給する。補正部５は第１の実施形態と同様にデューティ比についての減少補正をしてその補正値を制御部３に供給する。また、補正部５は駆動電流Ｉsigに一定係数ａを乗じた駆動電流ａＩsigが有機ＥＬ素子１に供給されるように、入力信号を補正し、補正後の入力信号を制御部３に供給する。具体的には、入力信号に１より小さい係数ａ’（以下、「入力信号への補正係数」という。）を乗じる。また、本表示装置内又は本表示装置が組み込まれる装置内に、有機ＥＬ素子の劣化特性に応じて経過時間、デューティ比及び入力信号への補正係数のテーブルを設けておいて、前記テーブルに従ってデューティ比と入力信号の補正を行っても良い。
なお、入力信号を補正せずに、駆動部２のデータ信号出力源に補正信号を送り、駆動部２が、補正された電流を発生させても良い。
【００３９】
複数の異なる構造の有機ＥＬ素子を含む表示装置では、構造毎に入力信号への補正係数を変えても良い。例えば、赤、緑、青のように色の異なる有機ＥＬ素子からなる表示装置では、入力信号への補正係数を色毎に変えても良い。
【００４０】
上記の２つの実施形態の説明において、有機ＥＬ素子の発光時の電流（横軸）と発光効率（縦軸）の関係の一例を図３及び図４に示したが、本発明の表示装置に使用される有機ＥＬ素子の特性はこれに限ったものではない。また、上記では、式１で表される劣化モデルによって輝度の劣化量と時間の関係を模したが、本発明の表示装置に使用される有機ＥＬ素子は上記劣化モデルに従うものである必要はない。
【実施例】
【００４１】
［実施例１］
図１は、本実施例の表示装置である。図１の表示装置は、複数配置された画素毎に備えられた有機ＥＬ素子１と、入力信号に応じた電流を有機ＥＬ素子１に供給する駆動部２と、駆動部２を制御する制御部３と、補正部５と、を備える。なお、積算点灯時間は積算回路（図１に不図示）によって算出する。
【００４２】
図１のように、本実施例の表示装置には外部から画素毎に対応する表示信号が入力される。有機ＥＬ素子１は青色発光の有機ＥＬ素子で構成され、発光時の電流（横軸）と発光効率（縦軸）の関係は、図６のように劣化に伴う発光効率の低下は低電流領域ほど大きく、高電流領域では発光効率の低下が小さくなる。駆動部２は入力信号に応じた駆動電流Ｉsigを有機ＥＬ素子１に供給する。
【００４３】
補正部５は積算点灯時間が１０００時間に達すると、制御部３にデューティ比を１００％から３３％に減少させる指示を出す。制御部３はデューティ比を３３％で、かつ入力信号に応じた駆動電流Ｉsigが有機ＥＬ素子１へ供給されるようにピーク電流を制御する。
【００４４】
本表示装置に点灯領域と点灯していない領域を設け、デューティ比１００％で１０００時間駆動させると、供給電流Ｉ2における劣化した画素と劣化していない画素の効率の差、つまり焼きつき量Ｂ2は２０％である。積算点灯時間が１０００時間に達した時点でデューティ比が３３％に補正されると、焼きつき量Ｂ2’は１０％となり、焼きつき量は１０％減少する。
【００４５】
上記では、表示装置の積算点灯時間が１０００時間に達した時点で一度だけ、デューティ比を補正しているが、本実施例では予め決められた時間毎に複数回にわたってデューティ比を段階的に小さくしても良い。例えば１００時間経過毎にデューティ比を６．６％ずつ下げても良い。また、本実施例では本表示装置内又は本表示装置が組み込まれる装置内に、有機ＥＬ素子の劣化特性に応じて経過時間とデューティ比のテーブル（例えば、表１のテーブル）を設けておいて、前記テーブルに従って補正を行っても良い。
【００４６】
【表１】
2011137912.tif 000003
【００４７】
デューティ比を補正するタイミングは、積算点灯時間が１０００時間に達した直後でも良いが、積算点灯時間が１０００時間に達した直後の表示装置を消灯、又は点灯させるタイミングで補正するのが好ましい。このように、デューティ比の補正はユーザーが補正動作に伴う表示状態の変化を感じにくいタイミングで行われることが好ましい。
【００４８】
本実施例の表示装置は、青色発光の有機ＥＬ素子から構成されるが、構成が異なる有機ＥＬ素子や異なる色を発する複数の有機ＥＬ素子が含まれていても良い。例えば、赤、緑のように色の異なる有機ＥＬ素子が含まれる場合には、デューティ比補正係数を色毎に変えても良い。
【００４９】
［実施例２］
本実施例の表示装置は積算点灯時間が１０００時間に達した時点で、補正部が、入力信号の補正をして補正後の入力信号を制御部に供給し、制御部により、補正後の１フレーム期間内における有機ＥＬ素子への供給電流量を補正前よりも小さくする。このことを除いては実施例１と同様である。
【００５０】
補正部５は積算点灯時間が１０００時間に達すると、制御部３にデューティ比を１００％から３３％に減少させる指示を出すとともに、入力信号に、入力信号への補正係数０．８を乗じる補正を行う。制御部３はデューティ比を３３％で、かつ補正部５で補正された入力信号に応じた駆動電流Ｉsigが、駆動部２から有機ＥＬ素子１へ供給されるようにピーク電流を制御する。駆動部２から有機ＥＬ素子１へ供給される電流は２０％減少する。
【００５１】
上記では、積算点灯時間が１０００時間に達した時点で一度だけ、デューティ比と入力信号を補正しているが、本実施例では予め決められた時間毎に複数回にわたってデューティ比と入力信号を段階的に減少させても良い。例えば、１００時間経過毎にデューティ比を６．６％ずつ、入力信号への補正係数を０．２ずつ下げても良い。また、本実施例では本表示装置内又は本表示装置が組み込まれる装置内に、有機ＥＬ素子の劣化特性に応じて経過時間、デューティ比及び入力信号への補正係数のテーブル（例えば、表２のテーブル）を設けておいて、前記テーブルに従って補正を行っても良い。
【００５２】
【表２】
2011137912.tif 000004
【符号の説明】
【００５３】
１：有機ＥＬ素子、２：駆動部、３：制御部、５：補正部、６：供給電流、７：供給電流、８：ピーク電流
【図１】
2011137912.tif 000005
【図２】
2011137912.tif 000006
【図３】
2011137912.tif 000007
【図４】
2011137912.tif 000008
【図５】
2011137912.tif 000009
【図６】
2011137912.tif 000010